(57)【要約】【課題】  ２以上の大当たり状態が発生可能な遊技機が管理対象であった場合でも、遊技場内の遊技機全体の稼動データなどの把握とは別に、各大当たり状態の特性を個別に把握可能にすること。【解決手段】  パチンコ遊技機１は、互いに異なる内容の第１種大当たり状態及び第２種大当たり状態が発生可能になっている。管理コンピュータ１６は、第１、第２及び第３のデータ作成モードの一つまたは複数が有効される。第１のデータ作成モードが有効化された状態では、第１種及び第２種大当たり状態の双方についての大当たり履歴データを発生順に並べた状態の複合データとして出力する。第２及び第３のデータ作成モードの双方が有効化された状態では、第１種大当たり状態についての第１大当たり履歴データ並びに第２種大当たり状態についての第２大当たり履歴データを、それぞれ発生順に並べた状態の第１種大当たり絞り込みデータ及び第２種大当たり絞り込みデータに区分して出力する。【選択図】  図１
2005131243.tif 000002
【特許請求の範囲】
【請求項１】
少なくとも第１の大当たり状態及び第２の大当たり状態が発生可能な遊技機に係る稼動データを各遊技機別に区分して集計管理する遊技場用データ管理システムにおいて、
前記第１及び第２の大当たり状態の何れかが発生するまでの期間の稼動データ並びに当該大当たり状態期間中の稼動データに基づいて各回の大当たり履歴データを作成する第１のデータ作成機能と、
前記第１の大当たり状態が発生するまでの期間の稼動データ並びに当該大当たり状態期間中の稼動データに基づいて第１大当たり履歴データを作成する第２のデータ作成機能と、
前記第２の大当たり状態が発生するまでの期間の稼動データ並びに当該大当たり状態期間中の稼動データに基づいて第２大当たり履歴データを作成する第３のデータ作成機能とを備えたデータ作成手段が設けられていることを特徴とする遊技場用データ管理システム。
【請求項２】
前記データ作成手段は、前記第１、第２及び第３のデータ作成機能の何れか一つまたは複数を有効化することにより、前記大当たり履歴データ、第１大当たり履歴データ、第２大当たり履歴データを選択的に出力可能に構成されていることを特徴とする請求項１記載の遊技場用データ管理システム。
【請求項３】
前記大当たり履歴データは、前記第１の大当たり状態に関連した稼動データ及び前記第２の大当たり状態に関連した稼動データを発生順に並べた状態で出力されることを特徴とする請求項２記載の遊技場用データ管理システム。
【請求項４】
前記第１大当たり履歴データは、前記第１の大当たり状態に関連した稼動データを発生順に並べた状態で出力され、前記第２大当たり履歴データは、前記第２の大当たり状態に関連した稼動データを発生順に並べた状態で出力されることを特徴とする請求項２または３記載の遊技場用データ管理システム。
【発明の詳細な説明】
【技術分野】
【０００１】
本発明は、少なくとも第１の大当たり状態及び第２の大当たり状態が発生可能な遊技機に係る稼動データを各遊技機別に区分して集計管理するための遊技場用データ管理システムに関する。
【背景技術】
【０００２】
例えばパチンコ遊技機においては、遊技に伴い所定の条件が成立したときに入賞率を通常時より大幅に高めた大当たり状態（特賞状態とも呼ばれる）を所定期間だけ保持する構成のものが一般的になっている。従来では、この種のパチンコ遊技機に係る稼動データを管理するためのデータ管理システムとして、パチンコ遊技機が大当たり状態になったか否かを判定する遊技状態判定手段と、この遊技状態判定手段の判定結果に基づきパチンコ遊技機が大当たり状態にある期間中におけるアウト玉数などの稼動データを当該大当たり状態期間毎の履歴データ（大当たり履歴データ）として順次集計するデータ集計手段と、このデータ集計手段の集計結果を出力する出力手段とを備えたものが提供されている（例えば特許文献１参照）。
【０００３】
また、近年では、特許文献２及び特許文献３などに見られるように、スタート入賞口へのパチンコ玉の入賞に応じて行われる抽選動作の結果が当たりであった場合に大当たり状態（以下、これを第１種大当たり状態と呼ぶ）を呈する第１種パチンコ遊技機（所謂セブン機）と、始動チャッカーへのパチンコ玉の入賞により羽根が短時間だけ開き、その中にあるＶゾーンにパチンコ玉が入賞したときに大当たり状態（以下、これを第２種大当たり状態と呼ぶ）を呈する第２種パチンコ遊技機（所謂ハネモノ）とを融合した形態のパチンコ遊技機が提案されている。この他にも、第１種パチンコ遊技機若しくは第２種パチンコ遊技機と第３種パチンコ遊技機（所謂権利物）とを融合した形態、或いは同一種のパチンコ遊技機を融合した形態（例えば、第１種パチンコ遊技機の大当たり機能を２台分備えた形態）など、種々の形態のパチンコ遊技機が考えられている。
【特許文献１】特開平８−９８９４４号公報
【特許文献２】特開２０００−３３１４１号公報
【特許文献３】特開２００３−６２２１５号公報
【発明の開示】
【発明が解決しようとする課題】
【０００４】
従来の遊技場用データ管理システムでは、２以上の大当たり状態が発生可能なパチンコ遊技機を管理対象とすることについて何も考慮されていないため、遊技機全体の稼動データを把握することは可能であるが、各大当たり状態の特性を個別に把握することが困難になるという事情がある。つまり、例えば、第１種パチンコ遊技機と第２種パチンコ遊技機とを融合した新しい形態のパチンコ遊技機においては、第１種大当たり状態に伴う大当たり履歴データと第２種大当たり状態に伴う大当たり履歴データとが入り混じって出力されることになるため、第１種大当たり状態の特性と第２種大当たり状態の特性を個別に把握することが面倒になるという状況が発生する。
【０００５】
本発明は上記事情に鑑みてなされたものであり、その目的は、２以上の大当たり状態が発生可能な遊技機が管理対象であった場合でも、遊技場内の遊技機全体の稼動データなどの把握とは別に、各大当たり状態の特性を個別に把握可能となる遊技場用データ管理システムを提供することにある。
【課題を解決するための手段】
【０００６】
請求項１記載の発明は、上記目的を達成するために、少なくとも第１の大当たり状態及び第２の大当たり状態が発生可能な遊技機に係る稼動データを各遊技機別に区分して集計管理する遊技場用データ管理システムにおいて、前記第１及び第２の大当たり状態の何れかが発生するまでの期間の稼動データ並びに当該大当たり状態期間中の稼動データに基づいて各回の大当たり履歴データを作成する第１のデータ作成機能と、前記第１の大当たり状態が発生するまでの期間の稼動データ並びに当該大当たり状態期間中の稼動データに基づいて第１大当たり履歴データを作成する第２のデータ作成機能と、前記第２の大当たり状態が発生するまでの期間の稼動データ並びに当該大当たり状態期間中の稼動データに基づいて第２大当たり履歴データを作成する第３のデータ作成機能とを備えたデータ作成手段を設ける構成としたものである。
【０００７】
この場合、請求項２記載の発明のように、前記データ作成手段を、前記第１、第２及び第３のデータ作成機能の何れか一つまたは複数を有効化することにより、前記大当たり履歴データ、第１大当たり履歴データ、第２大当たり履歴データを選択的に出力可能な構成とすることができる。
また、請求項３記載の発明のように、前記大当たり履歴データを、前記第１の大当たり状態に関連した稼動データ及び前記第２の大当たり状態に関連した稼動データを発生順に並べた状態で出力する構成としても良い。
【０００８】
さらに、請求項４記載の発明のように、前記第１大当たり履歴データを、前記第１の大当たり状態に関連した稼動データを発生順に並べた状態で出力し、前記第２大当たり履歴データは、前記第２の大当たり状態に関連した稼動データを発生順に並べた状態で出力する構成としても良い。
【発明の効果】
【０００９】
請求項１記載の発明によれば、データ作成手段は、遊技機にて第１及び第２の大当たり状態の何れかが発生したときに、その第１のデータ作成機能によって、大当たり状態が発生するまでの期間の稼動データ並びに当該大当たり状態期間中の稼動データに基づいて各回の大当たり履歴データを作成する。従って、このように作成された大当たり履歴データに基づいて、遊技場内の遊技機全体の稼動データや大当たり発生状況を把握可能になる。
【００１０】
データ作成手段は、遊技機にて第１の大当たり状態が発生したときに、その第２のデータ作成機能によって、第１の大当たり状態が発生するまでの期間の稼動データ並びに当該大当たり状態期間中の稼動データに基づいて第１大当たり履歴データを作成する。また、データ作成手段は、遊技機にて第２の大当たり状態が発生したときに、その第３のデータ作成機能によって、第２の大当たり状態が発生するまでの期間の稼動データ並びに当該大当たり状態期間中の稼動データに基づいて第２大当たり履歴データを作成する。従って、このように作成された第１及び第２の大当たり履歴データに基づいて、第１及び第２の大当たり状態の特性を個別に把握可能になる。これにより、第１及び第２の大当たり状態の傾向を正確に把握可能になるものであり、以て遊技場の営業計画の立案や遊技機の調整作業などのために貢献できるようになる。
【００１１】
請求項２記載の発明によれば、データ作成手段の前記第１、第２及び第３のデータ作成機能の何れか一つまたは複数を有効化することにより、前述のように作成された大当たり履歴データ、第１大当たり履歴データ、第２大当たり履歴データを選択的に出力できる。従って、このように出力される各大当たり履歴データに基づいて、第１及び第２の大当たり状態の特性を個別に且つ容易に把握できるようになる。
【００１２】
請求項３記載の発明によれば、大当たり履歴データが、第１及び第２の大当たり状態に関連した各稼動データを発生順に並べた状態の時系列データとして出力されるから、各遊技機での第１及び第２の大当たり状態の発生履歴をその発生順にトータルに認識できるようになり、大当たり状態の発生傾向を全体的に把握する上で有益になる。
【００１３】
請求項４記載の発明によれば、第１大当たり履歴データ並びに第２大当たり履歴データが、対応する大当たり状態に関連した稼動データを発生順に並べた状態の時系列データとして出力されるから、各遊技機での第１及び第２の大当たり状態の発生履歴を、個別に且つ発生順に認識できるようになり、以て第１及び第２の大当たり状態が発生した各場合における遊技機特性の全体像を個別に確認する上で有益になる。
【発明を実施するための最良の形態】
【００１４】
以下、本発明の一実施例について図面を参照しながら説明する。
図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５、第１スタート入賞口６、第２スタート入賞口７ａ及び７ｂ、一般的にアタッカーと呼ばれている電動役物８ａを備えた大型入賞口８、複合役物９が設けられていると共に、図示しない通常入賞口も設けられている。
複合役物９は、第２種パチンコ遊技機（所謂ハネモノ）の機能を実現するためのセンター役物１０内に、第１種パチンコ遊技機（所謂セブン機）の機能を実現するための図柄表示部１１を配置した構成となっている。
【００１５】
図３には上記複合役物９が拡大した状態で示されており、以下この図３に基づいて複合役物９の構成を説明する。即ち、複合役物９を構成するセンター役物１０は、入賞領域を囲んだ形態の枠状部１０ａの左右両側に常時において当該入賞領域を閉鎖するように配置された一対の羽根１０ｂを備えており、その羽根１０ｂが図中に二点鎖線で示すように拡開されたときに入賞領域へのパチンコ玉の入賞が可能な状態となる。また、入賞領域の底部は、中央部に形成されたＶゾーン１０ｃと当該Ｖゾーン１０ｃ以外の部分を占める通常入賞口１０ｄとに区分されており、そのＶゾーン１０ｃをパチンコ玉が通過したときに第２大当たり条件が成立する。
【００１６】
即ち、センター役物１０にあっては、第２スタート入賞口７ａ或いは７ｂにパチンコ玉が入賞したときに羽根１０ｂを短時間（例えば１秒）だけ拡開する動作を実行する構成となっており、その拡開期間に枠状部１０ａにより囲まれた入賞領域に入賞したパチンコ玉がＶゾーン１０ｃを通過した場合に第２大当たり条件が成立することになる。この第２大当たり条件が成立した状態では、羽根１０ｂが比較的長い時間ずつ所定回数だけ拡開されるものであり、これに応じて入賞領域への入賞率が通常時より大幅に高められた大当たり状態（第２の大当たり状態に相当：以下これを第２種大当たり状態と呼ぶ）を呈する。この場合、上記第２種大当たり状態にある期間には、第２スタート入賞口７ａ或いは７ｂにパチンコ玉が入賞した場合でも羽根１０ｂの短時間拡開動作が行われることはない。
【００１７】
尚、入賞領域には、パチンコ玉の通過経路をランダムにするための複数のスタッド１０ｆが立設されている。また、センター役物１０の枠状部１０ａにおいて、羽根１０ｂの基端部に対応した各部位にワープルート入口１０ｄが設けられていると共に、入賞領域の入口に対応した両側部位にワープルート出口１０ｅが設けられており、羽根１０ｂの拡開時にワープルート入口１０ｄにパチンコ玉が進入したときは、そのパチンコ玉がワープルート出口１０ｅから入賞領域の中央に向けて放出されてＶゾーン１０ｃへの入賞確率が高くなるように構成されている。
【００１８】
一方、図柄表示部１１は、第１スタート入賞口６へのパチンコ玉の入賞に応じて行われる所定確率の抽選動作の結果を表示するためのもので、図２及び図３では、３桁の数字列より成るルーレットを表示する例が示されている。即ち、図柄表示部１１は、第１スタート入賞口６へのパチンコ玉の入賞に応じてルーレットの変動表示（本実施例の場合、数字列の各桁の「０」〜「９」の範囲での変動表示）を開始するものであり、上記抽選動作の結果が大当たりであったときにはその変動終了時点で数字列が「１１１」、「２２２」、…のようなぞろ目図柄（大当たり図柄）となるように制御される。
【００１９】
このようにぞろ目図柄が表示された状態が第１大当たり条件が成立した状態に相当する。そして、第１大当たり条件が成立したときには、大型入賞口８の電動役物８ａ（アタッカー）が予め決められたモードにて所定期間だけ開放され、以て当該入賞口８への入賞率が極端に高められた大当たり状態（第１の大当たり状態に相当：以下これを第１種大当たり状態と呼ぶ）を呈するものである。
【００２０】
この場合、本実施例におけるパチンコ遊技機１は、上述した第１種大当たり状態及び第２種大当たり状態が同時に発生しない構成となっている。具体的には、例えば、第２種大当たり状態にあるときには、第１スタート入賞口６へのパチンコ玉の入賞に応じた抽選動作結果の表示を保留（或いは抽選動作そのものを無効化）し、また、第１種大当たり状態にあるときには、第２スタート入賞口７ａ、７ｂへのパチンコ玉の入賞に応じた羽根１０ｂの短時間拡開動作を無効化することにより、第１種大当たり状態及び第２種大当たり状態が同時に発生しない構成とされている。
【００２１】
尚、第１スタート入賞口６へのパチンコ玉の入賞が、図柄表示部１１の変動表示期間、第１種大当たり状態或いは第２種大当たり状態にある期間中に発生した各場合には、その入賞に応じた抽選結果の表示が保留される。そして、このように保留された抽選結果の表示動作は、図柄表示部１１の変動表示或いは第２種大当たり状態の終了を待って行われるものであり、以て当該表示保留状態が解除される構成となっている。また、抽選結果の表示の一時的な保留数（所謂保留玉数）は所定の上限値（例えば「４」）に制限されており、このような保留玉数を表示するために、図柄表示部１１の上方に発光ダイオードを利用した保留玉表示部１１ａが設けられている。
【００２２】
また、パチンコ遊技機１には、以下に述べるような各信号を外部へ出力する機能が設けられている。
即ち、パチンコ遊技機１は、打込パチンコ玉数を示すアウト玉数信号、並びに賞球として払い出されたパチンコ玉の数を示すセーフ玉数信号を出力する構成となっている。また、パチンコ遊技機１は、図柄表示部１１による図柄変動動作の実行（以下、これを第１スタートと呼ぶ）毎に第１スタート信号を出力し、第２スタート入賞口７ａ或いは７ｂへのパチンコ玉の入賞に応じた羽根１０ｂの短時間拡開動作の実行（以下、これを第２スタートと呼ぶ）毎に第２スタート信号を出力する構成となっており、さらに、第１種大当たり状態及び第２種大当たり状態にある各期間に第１大当たり信号及び第２大当たり信号をそれぞれ出力する構成となっている。尚、本実施例のパチンコ遊技機１は、第１種大当たり状態にある期間中を通じて第１大当たり信号を継続的に出力すると共に、第２種大当たり状態にある期間中を通じて第２大当たり信号を継続的に出力する構成となっている。
【００２３】
図１には、本実施例によるパチンコホール用管理システムの概略的構成が本発明の要旨に関係した部分のみ示されている。この図１において、パチンコホール内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３を介して入出力装置１４と接続され、台間玉貸機１２はパチンコ遊技機１及び呼出ランプユニット１３を介して入出力装置１４に接続されている。尚、パチンコ遊技機１から入出力装置１４には、前述したアウト玉数信号、セーフ玉数信号、第１スタート信号、第２スタート信号、第１大当たり信号、第２大当たり信号などが出力される。
【００２４】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この台間玉貸機１２には、例えば液晶パネルより成る入力機能付きの表示パネル１２ｂが斜め前方側（手前側）へ突出した状態で設けられており、この表示パネル１２ｂにより種々のデータを表示できるようになっている。また、表示パネル１２ｂの画像表示面には、マトリクス型に構成された透明状タッチパネルスイッチが設けられており、これを通じて種々の入力操作を行い得る構成となっている。尚、各台間玉貸機１２から入出力装置１４には、プリペイドカードによる売上を示す売上信号などが出力される。
【００２５】
呼出ランプユニット１３は、複数の表示ランプ１３ａ、例えば液晶パネルより成る表示部１３ｂ、呼出ボタン１３ｃなどを備えた周知構成のもので、呼出ボタン１３ｃの操作に伴う呼び出し状態の表示機能、対応するパチンコ遊技機１で発生した大当たり状態などを表示する機能、パチンコ遊技機１での稼動データ（大当たり発生回数など）を表示する機能、パチンコ遊技機１及び台間玉貸機１２のためのデータ入出力インタフェースの機能などを備えている。
【００２６】
入出力装置１４は、店内ＬＡＮ１５に接続されており、この店内ＬＡＮ１５には、パチンコホールの管理事務所内に設置された管理コンピュータ１６（データ作成手段に相当）が接続されている。また、図示しないが、店内ＬＡＮ１５には、景品交換カウンタに設置されたＰＯＳ端末及び島端に設置されたパチンコ玉計数機なども接続される。
管理コンピュータ１６は、パチンコ遊技機１及び台間玉貸機１２から出力される種々の信号（アウト玉数信号、セーフ玉数信号、第１スタート信号、第２スタート信号、第１大当たり信号、第２大当たり信号、売上信号など）に基づいて、パチンコ遊技機１についての稼動データ（アウト玉数、セーフ玉数、差玉数、稼動率、出玉率、ベース、センター役物１０及び図柄表示部１１の各スタート回数、第１種大当たり状態及び第２種大当たり状態の各発生回数など）、並びに台間玉貸機１２についての貸出高データ（売上金額、割数など）を集計して格納するという周知のデータ集計機能を備えた構成となっている。
【００２７】
また、管理コンピュータ１６は、上記のようなデータ集計機能の他に、本発明の要旨に関係した大当たり履歴データの作成及び出力機能を備えており、以下においては、その機能について図４ないし図７も参照しながら説明する。
図４には、パチンコ遊技機１での第１大当たり信号及び第２大当たり信号の出力タイミングの一例が示されている。この例では、第１大当たり信号が６回出力され、第２大当たり信号が４回出力された場合、つまり、第１種大当たり状態が６回発生し、第２種大当たり状態が４回発生した場合について示されており、図４中には、各大当たり信号の出力順（各大当たり状態の発生順）に通し番号「１」〜「１０」が付されている。また、図４中の「Ａ」〜「Ｊ」は、第１種及び第２種大当たり状態の各発生期間をそれぞれ区別するための符号であり、図４中の「ａ」〜「ｋ」は、パチンコ遊技機１が大当たり状態にない各通常期間をそれぞれ区別するための符号である。
【００２８】
管理コンピュータ１６には、前述のデータ集計機能により得た稼動データ、並びにパチンコ遊技機１から与えられる第１及び第２大当たり信号に基づいて各パチンコ遊技機１に係る大当たり履歴データを作成して出力する機能が設けられているが、本実施例では、その作成・出力形態として第１のデータ作成モード、第２のデータ作成モード及び第３のデータ作成モードが設定されている。これらデータ作成モードは、何れか一つまたは複数が有効化される構成となっており、以下においては、第１、第２及び第３のデータ作成モードについて、図４のようなタイミングで第１大当たり信号及び第２大当たり信号を出力したパチンコ遊技機１を対象にして説明する。
【００２９】
（１）第１のデータ作成モード
第１のデータ作成モードは、管理コンピュータ１６に設定された第１のデータ作成機能により実現されるものである。このモードでは、パチンコ遊技機１において第１種及び第２種大当たり状態の何れかが発生するまでの期間の稼動データ並びに当該大当たり状態期間中の稼動データに基づいて各回の大当たり履歴データを作成すると共に、第１種及び第２種大当たり状態の双方についての大当たり履歴データを発生順に並べた状態の複合データとして出力する。
【００３０】
具体的には、各大当たり履歴データは、大当たり状態の種類（第１種及び第２種の区別）、大当たり状態の発生時刻、大当たり間アウト（その種類に関係なく大当たり状態が新たに発生するまでの期間のアウト玉数）、大当たり間差玉（その種類に関係なく大当たり状態が新たに発生するまでの期間の差玉数）、大当たり間スタート（直前の同一種類の大当たり状態が発生してから該当大当たり状態が発生するまでの期間のスタート回数（第１スタート回数及び第２スタート回数）：但し、営業開始後に最初に発生した大当たり状態については、営業開始後から該当大当たり状態が発生するまでの期間のスタート回数）、大当たり出玉（１回の大当たり状態期間中の出玉数）、大当たり終了時持ち玉（大当たり状態が終了した時点での遊技客側の持ち玉数）を組み合わせたデータであり、プリンタを通じた印字出力或いはディスプレイを通じた表示出力として提供される。
【００３１】
図５には、図４のようなタイミングで第１大当たり信号及び第２大当たり信号を出力したパチンコ遊技機１に対応した複合データを、当該図４中に示したタイミングＴにて印字出力した場合の印字例が示されている。この図５において、レシート様式の紙片１７には、当日の日付、印字時刻、印字内容が複合データであることを示す「フクゴウデータ」のタイトルに対応付けた状態で各大当たり履歴データが発生順に印字される。
【００３２】
但し、この図５において、
１Ｔ：大当たり状態の発生順を示す通し番号、
シュルイ：大当たり状態の種類（＜１＞は１種大当たり状態、＜２＞は２種大当たり状態）、
ジコク：大当たり状態の発生時刻、
ＢＯ：大当たり間アウト、
Ｂサ：大当たり間差玉、
Ｓ：大当たり間スタート、
ＴＹ：大当たり出玉、
ＭＹ：大当たり終了時持ち玉、
を示す。また、「＊」が付された大当たり履歴データは、第１種パチンコ遊技機において周知の所謂「確変」により発生した第１種大当たり状態についてのデータであることを示す。
【００３３】
この場合、前述したように、大当たり間アウトＢＯ及び大当たり間差玉Ｂサは、大当たり状態の種類に関係なく新たな大当たり状態が発生するまでのアウト玉数及び差玉数をそれぞれ示すものであるから、図５のような出力例によれば、図４の期間「ａ」〜「ｋ」における大当たり間アウトＢＯは、それぞれ「７０」、「２６６」、「３１４」、「３２」、「１０９」、「５０７」、「４５３」、「１５８」、「７５」、「１０２」、「２５」であることが分かり、同期間「ａ」〜「ｋ」における大当たり間差玉Ｂサは、それぞれ「５１」、「１８６」、「２５８」、「５」、「３１」、「３５１」、「３５８」、「９４」、「１９」、「６４」、「１９」であることが分かる。
【００３４】
大当たり間スタートＳは、直前の同一種類の大当たり状態が発生してから該当大当たり状態が発生するまでの期間のスタート回数（但し、営業開始後に最初に発生した大当たり状態については、営業開始後から該当大当たり状態が発生するまでの期間のスタート回数）であるから、例えば、通し番号「１」に対応した大当たり履歴データ中の大当たりスタート回数Ｓ（＝３６）は、図４の期間「ａ」に発生した第１スタート回数、通し番号「２」に対応した大当たり履歴データ中の大当たりスタート回数Ｓ（＝１５０）は、図４の期間「ａ」、「ｂ」に発生した第２スタート回数の合計値、通し番号「３」に対応した大当たり履歴データ中の大当たりスタート回数Ｓ（＝１２４）は、図４の期間「ｂ」、「ｃ」に発生した第１スタート回数の合計値となる。また、例えば、通し番号「６」に対応した大当たり履歴データ中の大当たりスタート回数Ｓ（＝３２６）は、図４の期間「ｃ」、「ｄ」、「ｅ」、「ｆ」に発生した第２スタート回数の合計値、通し番号「８」に対応した大当たり履歴データ中の大当たりスタート回数Ｓ（＝３３５）は、図４の期間「ｆ」、「ｇ」、「ｈ」に発生した第１スタート回数の合計値となる。
【００３５】
（２）第２のデータ作成モード
第２のデータ作成モードは、管理コンピュータ１６に設定された第２のデータ作成機能により実現されるものである。このモードでは、パチンコ遊技機１において第１種大当たり状態が発生するまでの期間の稼動データ並びに当該大当たり状態期間中の稼動データに基づいて第１大当たり履歴データを作成し、この第１大当たり履歴データを発生順に並べた状態の第１種大当たり絞り込みデータとして出力する。
【００３６】
上記第１大当たり履歴データは、基本的には、前述した第１のデータ作成モードにて出力される大当たり履歴データと同様に、大当たり状態の種類、大当たり状態の発生時刻、大当たり間アウトＢＯ、大当たり間差玉Ｂサ、大当たり間スタートＳ、大当たり出玉ＴＹ、大当たり終了時持ち玉ＭＹを組み合わせたデータである。但し、大当たり間アウトＢＯは、前回の同一種類の大当たり状態（第１種大当たり状態）の終了時点から該当大当たり状態が発生するまでの期間のアウト玉数を示し、大当たり間差玉Ｂサは、前回の同一種類の大当たり状態の終了時点から該当大当たり状態が発生するまでの期間の差玉数を示すものである。また、営業開始後に最初に発生した大当たり状態についての大当たり間アウトＢＯ及び大当たり間差玉Ｂサは、それぞれ営業開始後から該当大当たり状態が発生するまでの期間のアウト玉数及び差玉数となる。
【００３７】
上記第１種大当たり絞り込みデータも、プリンタを通じた印字出力或いはディスプレイを通じた表示出力として提供されるものであり、図６には、図４のようなタイミングで第１大当たり信号及び第２大当たり信号を出力したパチンコ遊技機１に対応した第１種大当たり絞り込みデータを、当該図４中に示したタイミングＴにて印字出力した場合の印字例が示されている。この図６において、レシート様式の紙片１７には、当日の日付、印字時刻、印字内容が第１種大当たり絞り込みデータであることを示す「オオアタリ＜１＞データ」のタイトルに対応付けた状態で第１大当たり履歴データが発生順に印字される。
【００３８】
この場合、前述したように、大当たり間アウトＢＯ及び大当たり間差玉Ｂサは、前回の第１種大当たり状態の終了時点から当該大当たり状態が発生するまでの期間のデータであるから、例えば、図６に示す第１種大当たり絞り込みデータ中の通し番号「８」に対応した大当たり間アウトＢＯは、図４の期間「ｆ」、「ｇ」、「ｈ」における各大当たり間アウトＢＯの合計になる。つまり、期間「ｆ」、「ｇ」、「ｈ」における各大当たり間アウトＢＯは、前述の説明から明らかなように、図５の複合データ中の通し番号「６」、「７」、「８」にそれぞれ対応した「５０７」、「４５３」、「１５８」であるから、それらの合計値である「１１１８」になる。また、上記通し番号「８」に対応した大当たり間差玉Ｂサは、図４の期間「ｆ」、「ｇ」、「ｈ」における各大当たり間アウトＢＯの合計になる。つまり、期間「ｆ」、「ｇ」、「ｈ」における各大当たり間差玉Ｂサは、前述したように、図５の複合データ中の通し番号「６」、「７」、「８」にそれぞれ対応した「３５１」、「３５８」、「９４」であるから、それらの合計値である「８０３」になる。
【００３９】
（３）第３のデータ作成モード
第３のデータ作成モードは、管理コンピュータ１６に設定された第３のデータ作成機能により実現されるものである。このモードでは、パチンコ遊技機１において第２種大当たり状態が発生するまでの期間の稼動データ並びに当該大当たり状態期間中の稼動データに基づいて第２大当たり履歴データを作成し、この第２大当たり履歴データを発生順に並べた状態の第２種大当たり絞り込みデータとして出力する。
【００４０】
上記第２大当たり履歴データは、前述した第２のデータ作成モードにて出力される第１大当たり履歴データと同様のデータである。この第２種大当たり絞り込みデータも、プリンタを通じた印字出力或いはディスプレイを通じた表示出力として提供されるものであり、図７には、図４のようなタイミングで第１大当たり信号及び第２大当たり信号を出力したパチンコ遊技機１に対応した第２種大当たり絞り込みデータを、当該図４中に示したタイミングＴにて印字出力した場合の印字例が示されている。この図７において、レシート様式の紙片１７には、当日の日付、印字時刻、印字内容が第２種大当たり絞り込みデータであることを示す「オオアタリ＜２＞データ」のタイトルに対応付けた状態で第２大当たり履歴データが発生順に印字される。
【００４１】
この場合、大当たり間アウトＢＯ及び大当たり間差玉Ｂサは、前回の第２種大当たり状態の終了時点から当該大当たり状態が発生するまでの期間のデータであるから、例えば、図７に示す第２種大当たり絞り込みデータ中の通し番号「６」に対応した大当たり間アウトＢＯは、図４の期間「ｃ」、「ｄ」、「ｅ」、「ｆ」における各大当たり間アウトＢＯの合計になる。つまり、期間「ｃ」、「ｄ」、「ｅ」、「ｆ」における各大当たり間アウトＢＯは、前述の説明から明らかなように、図５の複合データ中の通し番号「３」、「４」、「５」、「６」にそれぞれ対応した「３１４」、「３２」、「１０９」、「５０７」であるから、それらの合計値である「９６２」になる。また、上記通し番号「６」に対応した大当たり間差玉Ｂサは、図４の期間「ｃ」、「ｄ」、「ｅ」、「ｆ」における各大当たり間アウトＢＯの合計になる。つまり、期間「ｃ」、「ｄ」、「ｅ」、「ｆ」における各大当たり間差玉Ｂサは、前述の説明から明らかなように、図５の複合データ中の通し番号「３」、「４」、「５」、「６」にそれぞれ対応した「２５８」、「５」、「３１」、「３５１」であるから、それらの合計値である「６４５」になる。
【００４２】
尚、本実施例の場合、第１種大当たり状態及び第２種大当たり状態が同時に発生しないパチンコ遊技機１を管理対象としているため、上述した第１、第２及び第３のデータ作成モードにおいて、大当たり状態の各発生期間（図４中に「Ａ」〜「Ｊ」で示す期間）については考慮に入れる必要がないが、第１種及び第２種大当たり状態が同時に発生するパチンコ遊技機管理対象であった場合には、その期間中のアウト玉数及び差玉数も上記大当たり間アウトＢＯ及び大当たり間差玉Ｂサ加算することになる。
【００４３】
以上要するに、上記した本実施例の構成によれば以下に述べるような作用・効果を奏することができる。
即ち、管理コンピュータ１６に設定された第１、第２及び第３のデータ作成モードは、何れか一つまたは複数が有効化される。第１のデータ作成モードが有効化された状態では、パチンコ遊技機１において第１種及び第２種大当たり状態の何れかが発生するまでの期間の稼動データ並びに当該期間中の稼動データに基づいて各回の大当たり履歴データが作成されると共に、それら第１種及び第２種大当たり状態の双方についての大当たり履歴データが発生順に並べられた状態の複合データ（図５参照）として出力される。
【００４４】
従って、このように出力される大当たり履歴データに基づいて、遊技場内のパチンコ遊技機１全体の稼動データや大当たり発生状況を把握できるようになる。この場合、上記複合データは、各大当たり履歴データを発生順に並べた状態の時系列データとして出力されるから、各パチンコ遊技機１での第１種及び第２種大当たり状態の発生履歴をその発生順にトータルに認識できるようになり、大当たり状態の発生傾向を全体的に把握する上で有益になる。
【００４５】
一方、第２のデータ作成モードが有効化された状態では、パチンコ遊技機１において第１種大当たり状態が発生するまでの期間の稼動データ並びに当該大当たり状態期間中の稼動データに基づいて第１大当たり履歴データが作成され、第３のデータ作成モードが有効化された状態では、パチンコ遊技機１において第２種大当たり状態が発生するまでの期間の稼動データ並びに当該大当たり状態期間中の稼動データに基づいて第２大当たり履歴データが作成され、それら第１及び第２大当たり履歴データがそれぞれ発生順に並べた状態の第１種大当たり絞り込みデータ（図６参照）及び第２種大当たり絞り込みデータ（図７参照）として出力される。つまり、第２及び第３のデータ作成モードの双方が有効化された場合には、第１大当たり履歴データ及び第２大当たり履歴データが互いに区分された状態で出力される。
【００４６】
従って、このように出力される第１及び第２大当たり履歴データに基づいて、第１種及び第２種大当たり状態の特性を個別に且つ容易に把握できるようになる。これにより、第１種及び第２種大当たり状態の傾向を正確に把握可能になるものであり、以て遊技場の営業計画の立案や遊技機の調整作業などのために貢献できるようになる。この場合、第１及び第２大当たり履歴データは、対応する大当たり状態に関連した稼動データを発生順に並べた状態の時系列データとして出力されるから、各パチンコ遊技機１での第１種及び第２種大当たり状態の発生履歴を、個別に且つ発生順に認識できるようになり、以て第１種及び第２種大当たり状態が発生した各場合におけるパチンコ遊技機１の特性の全体像を確認する上で有益になる。
【００４７】
尚、上記実施例では、第１種大当たり状態のための第１スタート入賞口６及び第２種大当たり状態のための第２スタート入賞口７ａ及び７ｂを独立した形態で設けたパチンコ遊技機１についての複合データ（図５参照）、第１種大当たり絞り込みデータ（図６参照）、第２種大当たり絞り込みデータ（図７参照）の出力例を示したが、それら入賞口を１つの共通スタート入賞口により兼用した構成（当該共通スタート入賞口へのパチンコ玉の入賞に応じて、第１種大当たり状態のための抽選動作及び第２種大当たり賞状態のための羽根１０ｂの短時間拡開動作が行われる構成）のパチンコ遊技機を管理対象とすることができる。図８には、このようなパチンコ遊技機についての複合データの出力例が示され、図９及び図１０には、当該パチンコ遊技機についての第１種大当たり絞り込みデータ、第２種大当たり絞り込みデータの出力例が示されている。
【００４８】
これら図８ないし図１０の出力例の場合、大当たり間アウトＢＯ、大当たり間差玉Ｂサ、大当たり出玉ＴＹ、大当たり終了時持ち玉ＭＹは上記実施例と同じ内容になるが、大当たり間スタートＳのみは、直前の大当たり状態が終了してから該当大当たり状態が発生するまでの期間のスタート回数であるから、上記実施例と異なる内容となる。
その他、本発明は上記し且つ図面に示した実施例に限定されるものではなく、例えば以下に述べるような変形或いは拡大が可能である。
【００４９】
上記実施例では、第１の大当たり状態の例として第１種パチンコ遊技機に対応した大当たり状態（第１種大当たり状態）を挙げると共に、第２の大当たり状態の例として第２種パチンコ遊技機に対応した大当たり状態（第２種大当たり状態）を挙げたが、これに限られるものでない。例えば第３種パチンコ遊技機（所謂権利物）に設定された大当たり状態を第１の大当たり状態或いは第２の大当たり状態として適用する構成、同一種のパチンコ遊技機を融合した構成（例えば、第１種パチンコ遊技機の大当たり機能を２台分備えた形態）、３種類以上の大当たり状態が発生可能な構成など、種々の組合せが考えられる。
本発明のシステムによる管理対象の遊技機をスロットマシンとすることも可能である。
【図面の簡単な説明】
【００５０】
【図１】本発明の一実施例を示すシステム全体の概略的構成図
【図２】パチンコ遊技機の概略的な正面図
【図３】パチンコ遊技機の要部の拡大正面図
【図４】第１大当たり信号及び第２大当たり信号の出力パターンを示すタイミングチャート
【図５】複合データの出力例を示す図
【図６】第１種大当たり絞り込みデータの出力例を示す図
【図７】第２種大当たり絞り込みデータの出力例を示す図
【図８】管理対象の遊技機が異なる場合における複合データの出力例を示す図
【図９】同場合における第１種大当たり絞り込みデータの出力例を示す図
【図１０】同場合における第２種大当たり絞り込みデータの出力例を示す図
【符号の説明】
【００５１】
１はパチンコ遊技機、６は第１スタート入賞口、７ａ、７ｂは第２スタート入賞口、８は大型入賞口、９は複合役物、１０はセンター役物、１０ｂは羽根、１０ｃはＶゾーン、１１は図柄表示部、１６は管理コンピュータ（データ集計手段）を示す。
【図１】
2005131243.tif 000003
【図２】
2005131243.tif 000004
【図３】
2005131243.tif 000005
【図４】
2005131243.tif 000006
【図５】
2005131243.tif 000007
【図６】
2005131243.tif 000008
【図７】
2005131243.tif 000009
【図８】
2005131243.tif 000010
【図９】
2005131243.tif 000011
【図１０】
2005131243.tif 000012